(57)【要約】【課題】誰でも簡単に所望の箇所にピントを合わせて撮影を行うことのできる撮像装置を提供する。【解決手段】被写体を撮像するＣＣＤ２３と、このＣＣＤ２３によって得られる被写体の画像データをスルー画像として表示する表示部１９とを備えた撮像装置において、表示部１９の画面上で任意の複数の部分を合焦対象エリアとして指定する。制御部３２は、これらの合焦対象エリアに対応した画像データに基づいて合焦評価値を算出し、この算出された合焦評価値に基づいて前記各合焦対象エリアにピントを合わせる制御を行う。これにより、予め決められた位置（例えば画面中央部）に被写体を合わせるなどの面倒な操作をしなくても、これらの指定箇所にピントを合わせて撮影を行うことができる。【選択図】      図２
2006094202.tif 000002
【特許請求の範囲】
【請求項１】
被写体を撮像する撮像手段と、
この撮影手段によって得られた被写体の画像データをスルー画像として表示する表示手段と、
この表示手段によって表示されたスルー画像の中の任意の複数の部分を合焦対象エリアとして指定する指定手段と、
この指定手段によって指定された複数の合焦対象エリアに対応した画像データに基づいて合焦評価値を算出する評価値算出手段と、
この評価値算出手段によって算出された合焦評価値に基づいて前記各合焦対象エリアにピントを合わせる制御手段と
を具備したことを特徴とする撮像装置。
【請求項２】
前記制御手段は、前記各合焦対象エリアにピントが合わない場合にはパンフォーカスに切り替えることを特徴とする請求項１記載の撮像装置。
【請求項３】
前記スルー画像からピントが合っている部分の色を検出する色検出手段と、
この色検出手段によって検出された色を所定の形式で表示する色表示手段と
を具備したことを特徴とする請求項１記載の撮像装置。
【請求項４】
前記スルー画像からピントが合っている部分の画像を抽出する画像抽出手段と、
この画像抽出手段によって抽出された画像を所定の形式で表示する画像表示手段と
を具備したことを特徴とする請求項１記載の撮像装置。
【請求項５】
被写体を撮像する撮像手段と、
この撮影手段によって得られた被写体の画像データをスルー画像として表示する表示手段と、
任意の色を指定する指定手段と、
前記表示手段によって表示されたスルー画像の中で前記指定手段によって指定された色を有する部分を検出し、該当する部分を合焦対象エリアとして設定する合焦対象設定手段と、
この合焦対象設定手段によって設定された合焦対象エリアにピントを合わせる制御手段と
を具備したことを特徴とする撮像装置。
【請求項６】
前記合焦対象設定手段によって設定された合焦対象エリアを削除するか、あるいは、他の部分を合焦対象エリアとして追加する合焦対象変更手段を具備したことを特徴とする請求項５記載の撮像装置。
【請求項７】
前記スルー画像からピントが合っている部分の色を検出する色検出手段と、
この色検出手段によって検出された色を所定の形式で表示する色表示手段と
を具備したことを特徴とする請求項５記載の撮像装置。
【請求項８】
前記スルー画像からピントが合っている部分の画像を抽出する画像抽出手段と、
この画像抽出手段によって抽出された画像を所定の形式で表示する画像表示手段と
を具備したことを特徴とする請求項５記載の撮像装置。
【請求項９】
被写体を撮像する撮像素子と、この撮像素子によって得られる被写体の画像データをスルー画像として表示する表示部とを備えた撮像装置に用いられる合焦処理方法であって、
前記表示部に表示されたスルー画像の中の任意の複数の部分を合焦対象エリアとして指定するステップと、
この指定された複数の合焦対象エリアに対応した画像データに基づいて合焦評価値を算出するステップと、
この算出された合焦評価値に基づいて前記各合焦対象エリアにピントを合わせるステップと
を備えたことを特徴とする合焦処理方法。
【請求項１０】
被写体を撮像する撮像素子と、この撮像素子によって得られる被写体の画像データをスルー画像として表示する表示部とを備えた撮像装置に用いられる合焦処理方法であって、
任意の色を指定するステップと、
前記表示部に表示されたスルー画像の中で前記指定された色を有する部分を検出し、該当する部分を合焦対象エリアとして設定するステップと、
この設定された合焦対象エリアにピントを合わせるステップと
を備えたことを特徴とする合焦処理方法。
【請求項１１】
被写体を撮像する撮像素子と、この撮像素子によって得られる被写体の画像データをスルー画像として表示する表示部とを備えた撮像装置を制御するコンピュータに用いられるプログラムであって、
前記コンピュータに、
前記表示部に表示されたスルー画像の中の任意の複数の部分を合焦対象エリアとして指定する機能と、
この指定された複数の合焦対象エリアに対応した画像データに基づいて合焦評価値を算出する機能と、
この算出された合焦評価値に基づいて前記各合焦対象エリアにピントを合わせる機能と
を実現させることを特徴とするプログラム。
【請求項１２】
被写体を撮像する撮像素子と、この撮像素子によって得られる被写体の画像データをスルー画像として表示する表示部とを備えた撮像装置を制御するコンピュータに用いられるプログラムであって、
前記コンピュータに、
任意の色を指定する機能と、
前記表示部に表示されたスルー画像の中で前記指定された色を有する部分を検出し、該当する部分を合焦対象エリアとして設定する機能と、
この設定された合焦対象エリアにピントを合わせる機能と
を実現させることを特徴とするプログラム。
【発明の詳細な説明】
【技術分野】
【０００１】
本発明は、例えばデジタルカメラなどの撮像装置に係り、特にＡＦ（ａｕｔｏｍａｔｉｃ  ｆｏｃｕｓｉｎｇ）機能を備えた撮像装置と、この撮像装置に用いられる合焦処理方法及びプログラムに関する。
【背景技術】
【０００２】
例えば、デジタルカメラなどの撮像装置では、被写体に自動的にピントを合わせるＡＦ機能（自動合焦機能）を備えるものがある。このＡＦ機能は、シャッタキーを半押し操作することで動作し、フォーカスレンズを移動させて、例えば画面の中央部分にピントを合わせる。その際、画面中央にフォーカス枠を表示して、ピントを合わせた部分をユーザに知らしめることが一般的に行われている（例えば、特許文献１参照）。
【特許文献１】特開２０００−９２３５４号公報
【発明の開示】
【発明が解決しようとする課題】
【０００３】
上述したように、ＡＦ機能を搭載した撮像装置では、シャッタキーを半押しするだけで、被写体にピントを合わせて撮影することができる。しかしながら、ピントを合わせる位置が予め決められているため、まず、その位置に被写体を合わせてから構図を決めて撮影するといった面倒な操作が必要であり、カメラに不慣れなユーザには扱いづらいといった問題があった。
【０００４】
本発明は前記のような点に鑑みなされたもので、誰でも簡単に所望の箇所にピントを合わせて撮影を行うことのできる撮像装置、合焦処理方法及びプログラムを提供することを目的とする。
【課題を解決するための手段】
【０００５】
本発明の請求項１に係る撮像装置は、被写体を撮像する撮像手段と、この撮影手段によって得られた被写体の画像データをスルー画像として表示する表示手段と、この表示手段によって表示されたスルー画像の中の任意の複数の部分を合焦対象エリアとして指定する指定手段と、この指定手段によって指定された複数の合焦対象エリアに対応した画像データに基づいて合焦評価値を算出する評価値算出手段と、この評価値算出手段によって算出された合焦評価値に基づいて前記各合焦対象エリアにピントを合わせる制御手段とを具備して構成される。
【０００６】
このような構成によれば、スルー画像の中の任意の複数の部分を合焦対象エリアとして指定することにより、これらの合焦対象エリアにピントを合わせて撮影することができる。
【０００７】
また、本発明の請求項２は、前記請求項１記載の撮像装置において、前記制御手段は、前記各合焦対象エリアにピントが合わない場合にはパンフォーカスに切り替えることを特徴とする。
【０００８】
このような構成によれば、各合焦対象エリアにピントが合わない場合にパンフォーカスに切り替えて撮影することができる。
【０００９】
また、本発明の請求項３は、前記請求項１記載の撮像装置において、前記スルー画像からピントが合っている部分の色を検出する色検出手段と、この色検出手段によって検出された色を所定の形式で表示する色表示手段とを具備したことを特徴とする。
【００１０】
このような構成によれば、ピントが合っている部分の色が検出され、例えばウインドウ形式で表示されるので、その表示された色からどこにピントが合っているのかを把握することができる。
【００１１】
また、本発明の請求項４は、前記請求項１記載の撮像装置において、前記スルー画像からピントが合っている部分の画像を抽出する画像抽出手段と、この画像抽出手段によって抽出された画像を所定の形式で表示する画像表示手段とを具備したことを特徴とする。
【００１２】
このような構成によれば、ピントが合っている部分の画像が抽出され、例えばウインドウ形式で表示されるので、その表示された画像からどこにピントが合っているのかを把握することができる。
【００１３】
本発明の請求項５に係る撮像装置は、被写体を撮像する撮像手段と、この撮影手段によって得られた被写体の画像データをスルー画像として表示する表示手段と、任意の色を指定する指定手段と、前記表示手段によって表示されたスルー画像の中で前記指定手段によって指定された色を有する部分を検出し、該当する部分を合焦対象エリアとして設定する合焦対象設定手段と、この合焦対象設定手段によって設定された合焦対象エリアにピントを合わせる制御手段とを具備して構成される。
【００１４】
このような構成によれば、任意の色を指定することにより、その指定された色を有する部分を合焦対象エリアとして設定し、その合焦対象エリアにピントを合わせて撮影することができる。
【００１５】
また、本発明の請求項６は、前記請求項５記載の撮像装置において、前記合焦対象設定手段によって設定された合焦対象エリアを削除するか、あるいは、他の部分を合焦対象エリアとして追加する合焦対象変更手段を具備したことを特徴とする。
【００１６】
このような構成によれば、ユーザが指定した色に基づいて合焦対象エリアが設定された際に、その合焦対象エリアを削除するか、あるいは、他の部分を合焦対象エリアとして追加することができる。
【００１７】
また、本発明の請求項７は、前記請求項５記載の撮像装置において、前記スルー画像からピントが合っている部分の色を検出する色検出手段と、この色検出手段によって検出された色を所定の形式で表示する色表示手段とを具備したことを特徴とする。
【００１８】
このような構成によれば、ピントが合っている部分の色が検出され、例えばウインドウ形式で表示されるので、その表示された色からどこにピントが合っているのかを把握することができる。
【００１９】
また、本発明の請求項８は、前記請求項５記載の撮像装置において、前記スルー画像からピントが合っている部分の画像を抽出する画像抽出手段と、この画像抽出手段によって抽出された画像を所定の形式で表示する画像表示手段とを具備したことを特徴とする。
【００２０】
このような構成によれば、ピントが合っている部分の画像が抽出され、例えばウインドウ形式で表示されるので、その表示された画像からどこにピントが合っているのかを把握することができる。
【００２１】
本発明の請求項９に係る合焦処理方法は、被写体を撮像する撮像素子と、この撮像素子によって得られる被写体の画像データをスルー画像として表示する表示部とを備えた撮像装置に用いられる合焦処理方法であって、前記表示部に表示されたスルー画像の中の任意の複数の部分を合焦対象エリアとして指定するステップと、この指定された複数の合焦対象エリアに対応した画像データに基づいて合焦評価値を算出するステップと、この算出された合焦評価値に基づいて前記各合焦対象エリアにピントを合わせるステップとを備えたことを特徴とする。
【００２２】
このような合焦処理方法によれば、前記各ステップに従った処理を実行することにより、前記請求項１記載の発明と同様の作用効果が奏せられる。
【００２３】
本発明の請求項１０に係る合焦処理方法は、被写体を撮像する撮像素子と、この撮像素子によって得られる被写体の画像データをスルー画像として表示する表示部とを備えた撮像装置に用いられる合焦処理方法であって、任意の色を指定するステップと、前記表示部に表示されたスルー画像の中で前記指定された色を有する部分を検出し、該当する部分を合焦対象エリアとして設定するステップと、この設定された合焦対象エリアにピントを合わせるステップとを備えたことを特徴とする。
【００２４】
このような合焦処理方法によれば、前記各ステップに従った処理を実行することにより、前記請求項５記載の発明と同様の作用効果が奏せられる。
【００２５】
本発明の請求項１１に係るプログラムは、被写体を撮像する撮像素子と、この撮像素子によって得られる被写体の画像データをスルー画像として表示する表示部とを備えた撮像装置を制御するコンピュータに用いられるプログラムであって、前記コンピュータに、前記表示部に表示されたスルー画像の中の任意の複数の部分を合焦対象エリアとして指定する機能と、この指定された複数の合焦対象エリアに対応した画像データに基づいて合焦評価値を算出する機能と、この算出された合焦評価値に基づいて前記各合焦対象エリアにピントを合わせる機能とを実現させることを特徴とする。
【００２６】
したがって、コンピュータが前記各機能を実現するためのプログラムを実行することにより、前記請求項１記載の発明と同様の作用効果が奏せられる。
【００２７】
本発明の請求項１２に係るプログラムは、被写体を撮像する撮像素子と、この撮像素子によって得られる被写体の画像データをスルー画像として表示する表示部とを備えた撮像装置を制御するコンピュータに用いられるプログラムであって、前記コンピュータに、任意の色を指定する機能と、前記表示部に表示されたスルー画像の中で前記指定された色を有する部分を検出し、該当する部分を合焦対象エリアとして設定する機能と、この設定された合焦対象エリアにピントを合わせる機能とを実現させることを特徴とする。
【００２８】
したがって、コンピュータが前記各機能を実現するためのプログラムを実行することにより、前記請求項５記載の発明と同様の作用効果が奏せられる。
【発明の効果】
【００２９】
本発明によれば、画面上の任意の複数の部分を合焦対象エリアとして指定することができる。したがって、予め決められた位置（例えば画面中央部）に被写体を合わせるなどの面倒な操作をしなくても、これらの指定箇所にピントを合わせて撮影を行うことができる。
【００３０】
また、任意の色を指定することで、その指定した色を有する部分を合焦対象エリアとして設定することができる。これにより、予め決められた位置（例えば画面中央部）に被写体を合わせるなどの面倒な操作をしなくても、指定した色を有する部分にピントを合わせて撮影を行うことができる。
【発明を実施するための最良の形態】
【００３１】
以下、図面を参照して本発明の実施形態を説明する。
【００３２】
（第１の実施形態）
図１は本発明の第１の実施形態に係る撮像装置としてデジタルカメラを例にした場合の外観構成を示す図であり、図１（ａ）は主に前面の構成、同図（ｂ）は主に背面の構成を示す斜視図である。
【００３３】
このデジタルカメラ１は、略矩形の薄板状ボディ２の前面に、撮影レンズ３、セルフタイマランプ４、光学ファインダ窓５、ストロボ発光部６、マイクロホン部７などを有し、上面の（ユーザにとって）右端側には電源キー８及びシャッタキー９などが設けられている。
【００３４】
電源キー８は、電源のオン／オフ毎に操作するキーであり、シャッタキー９は、撮影時に撮影タイミングを指示するキーである。
【００３５】
また、デジタルカメラ１の背面には、撮影モード（Ｒ）キー１０、再生モード（Ｐ）キー１１、光学ファインダ１２、スピーカ部１３、マクロキー１４、ストロボキー１５、メニュー（ＭＥＮＵ）キー１６、リングキー１７、セット（ＳＥＴ）キー１８、表示部１９などが設けられている。
【００３６】
撮影モードキー１０は、電源オフの状態から操作することで自動的に電源オンとして静止画の撮影モードに移行する一方で、電源オンの状態から繰返し操作することで、静止画モード、動画モードを循環的に設定する。静止画モードは、静止画を撮影するためのモードである。また、動画モードは、動画を撮影するためのモードである。
【００３７】
前記シャッタキー９は、これらの撮影モードに共通に使用される。すなわち、静止画モードでは、シャッタキー９が押下されたときのタイミングで静止画の撮影が行われる。動画モードでは、シャッタキー９が押下されたときのタイミングで動画の撮影が開始され、シャッタキー９が再度押下されたときにその動画の撮影が終了する。
【００３８】
再生モードキー１１は、電源オフの状態から操作することで自動的に電源オンとして再生モードに移行する。
【００３９】
マクロキー１４は、静止画の撮影モードで通常撮影とマクロ撮影とを切換える際に操作する。ストロボキー１５は、ストロボ発光部６の発光モードを切換える際に操作する。メニューキー１６は、各種メニュー項目等を選択する際に操作する。リングキー１７は、上下左右各方向への項目選択用のキーが一体に形成されたものであり、このリングキー１７の中央に位置するセットキー１８は、その時点で選択されている項目を設定する際に操作する。
【００４０】
表示部１９は、バックライト付きのカラー液晶パネルで構成されるもので、撮影モード時には電子ファインダとしてスルー画像のモニタ表示を行う一方で、再生モード時には選択した画像等を再生表示する。
【００４１】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられているものとする。
【００４２】
図２はデジタルカメラ１の電子回路構成を示すブロック図である。
【００４３】
このデジタルカメラ１には、前記撮影レンズ３を構成する図示せぬフォーカスレンズおよびズームレンズを含むレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ３を通過する光を受光し、その受光量に応じた画像データを取得する。
【００４４】
基本モードである記録モード時において、ＣＣＤ２３がタイミング発生器（ＴＧ）２４、ドライバ２５によって走査駆動され、一定周期毎に結像した光像に対応する光電変換出力を１画面分出力する。
【００４５】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４６】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００４７】
制御部３２は、ＣＰＵ３２ａと、このＣＰＵ３２ａで実行される動作プログラムを記憶したＲＯＭ３２ｂ、及びワークメモリとして使用されるＲＡＭ３２ｃなどを含むマイクロコンピュータにより構成される。この制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００４８】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１９に出力する。
【００４９】
この表示部１９は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００５０】
このように、表示部１９にその時点での画像がモニタ画像としてリアルタイムに表示されている状態で、例えば静止画撮影を行いたいタイミングでシャッタキー９を押下操作すると、トリガ信号が発生する。
【００５１】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５２】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書き込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５３】
そして得た符号データを１画像のデータファイルとして該画像処理部３７から読み出して記録用のメモリ３８に書き込む。このメモリ３８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００５４】
制御部３２には、さらに音声処理部３９、ＵＳＢインタフェース（Ｉ／Ｆ）４０、ストロボ駆動部４１、移動検出部４２が接続される。
【００５５】
音声処理部３９は、Ａ／Ｄ変換およびＤ／Ａ変換を含む音声データの入出力処理を行うものであり、動画撮影時には動画データに同期させてマイクロホン部（ＭＩＣ）７より入力されたアナログの音声信号をデジタル化して取り込む。また、再生時には、音声付き動画データから分離された音声データをアナログ化して、デジタルカメラ１の背面側に設けられたスピーカ部（ＳＰ）１３を通じて出力する。
【００５６】
ＵＳＢインタフェース４０は、ＵＳＢコネクタを介して有線接続されるパーソナルコンピュータ等の他の情報端末装置との間で画像データ、その他の送受を行う場合の通信制御を行う。ストロボ駆動部４１は、撮影時に図示せぬストロボ用の大容量コンデンサを充電した上で、制御部３２からの制御に基づいてストロボ発光部６を閃光駆動する。
【００５７】
移動検出部４２は、例えば３軸加速度センサなどからなり、撮影時に装置本体を任意の方向に移動させたときの移動距離を検出する。この移動検出部４２によって検出された移動距離は、後述するフォーカス枠の表示処理に用いられる。
【００５８】
なお、前記キー入力部３６は、上述したシャッタキー９の他に、電源キー８、撮影モードキー１０、再生モードキー１１、マクロキー１４、ストロボキー１５、メニューキー１６、リングキー１７、セットキー１８などから構成され、それらのキー操作に伴う信号は直接制御部３２へ送出される。
【００５９】
また、静止画像ではなく動画像の撮影時においては、シャッタキー９が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）またはｍｏｔｉｏｎ−ＪＰＥＧ（Ｊｏｉｎｔ  Ｐｈｏｔｏｇｒａｐｈｉｃ  Ｅｘｐｅｒｔｓ  Ｇｒｏｕｐ）などの手法により撮影動画をデータ圧縮してメモリ３８へ記録する。再度シャッタキー９が操作されると、動画データの記録を終了する。
【００６０】
一方、基本モードである再生モード時には、制御部３２がメモリ３８に記録されている画像データを選択的に読み出し、画像処理部３７で記録モード時にデータ圧縮した手順と全く逆の手順で、圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、表示部１９で再生出力させる。
【００６１】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００６２】
次に、第１の実施形態の動作について説明する。
【００６３】
なお、以下の各フローチャートで示される処理は、マイクロプロセッサである制御部３２（ＣＰＵ３２ａ）がＲＯＭ３２ｂなどに記憶されたプログラムを読み込むことにより実行される。また、他の実施形態に関する処理についても同様であり、制御部３２（ＣＰＵ３２ａ）がその実施形態を実現するためのプログラムを読み込むことによって実行される。
【００６４】
図３は第１の実施形態におけるデジタルカメラ１の撮影時の処理動作を示すフローチャートである。
【００６５】
電源投入後、このデジタルカメラ１に設けられた撮影モードキー１０の操作により静止画の撮影モードを設定すると、被写体の画像がレンズ光学系２２およびＣＣＤ２３を通じて取り込まれ、所定のカラープロセス処理を経た後、スルー画像として表示部１９の画面上に表示される（ステップＡ１１）。
【００６６】
ここで、図８に示すように、ユーザが表示部１９の画面上に表示されたスルー画像５０の中で任意の複数の部分を合焦対象エリアとして指定すると（ステップＡ１２）、制御部３２（ＣＰＵ３２ａ）は、これらの指定エリアに所定サイズのフォーカス枠５１〜５３を表示する（ステップＡ１３）。
【００６７】
前記合焦対象エリアの指定方法としては、例えば表示部１９の画面上に透明のタッチパネルを搭載していれば、画面上の任意の位置を指やペンで直接タッチする方法や、カーソールキーの操作により画面上の任意の位置を指定するなどの方法がある。図８の例では、合焦対象エリアとして３箇所指定されており、それぞれの指定箇所に合焦対象エリアであることを示すフォーカス枠５１〜５３が表示されている。
【００６８】
このような状態で、ユーザがシャッタキー９の半押し操作により合焦指示を行うと（ステップＡ１４のＹｅｓ）、制御部３２は、前記指定された複数の合焦対象エリアに対するＡＦ処理（自動合焦処理）を実行する（ステップＡ１５）。なお、このＡＦ処理（自動合焦処理）については、後に図４〜図６を参照して詳しく説明する。
【００６９】
また続いて、制御部３２は、図９に示すようにピントを合わせた部分の画像や色を表示するための合焦表示処理を実行するが（ステップＡ１６）、この合焦表示処理については後に図７を参照して説明する。
【００７０】
ここで、ユーザがシャッタキー９の押下操作により撮影指示を行うと（ステップＡ１７のＹｅｓ）、制御部３２は所定の撮影処理を実行することにより、現在表示されているスルー画像を静止画として取り込み、所定の方式で圧縮してメモリ３８に記録する（ステップＡ１８）。なお、撮影処理については、図２で詳しく説明してあるため、ここでは省略する。
【００７１】
（自動合焦処理）
次に、前記ステップＡ１５にて実行される自動合焦処理について、コントラスト検出方式を想定して説明する。
【００７２】
コントラスト検出方式とは、図１０に示すように、レンズ光学系２２に含まれるフォーカスレンズ２２ａを光軸上に移動させながら、画像データのコントラスト（高周波成分）を検出し、最もコントラストが大きくなる位置をピットが合った位置つまり合焦位置として検出する方式である。
【００７３】
通常は、画面中央部などの予め決められたエリアに対応した画像データ（これを画像ブロックと呼ぶ）について前記のような処理を行うが、ここでは複数の指定エリアについて同様の処理を行うことで合焦位置を検出する。
【００７４】
図４はその自動合焦処理の全体の流れを示すフローチャートである。
【００７５】
まず、制御部３２は、モータ２１を駆動してフォーカスレンズを光軸上の一方端に動かして（ステップＢ１１）、例えば画面中央部などの所定の位置で得られる画像データの高周波成分を検出する（ステップＢ１２）。そして、制御部３２は、この検出した高周波成分の値を他のレンズ位置で検出した高周波成分と比較することで最高値であるか否かの判定を行い（ステップＢ１３）、最高値として判定された場合にはその値をＲＡＭ３２ｃの所定の領域に記憶する（ステップＢ１４）。
【００７６】
具体的に説明すると、今、図１０に示すように、フォーカスレンズ２２ａがＰ０〜Ｐ６の間を移動可能であるとする。まず、その一方端のＰ０の位置にフォーカスレンズ２２ａを移動させ、そこで得られる高周波成分の値ｆ０を検出する。この検出した高周波成分の値ｆ０を他のレンズ位置で検出した高周波成分の値と比較して最高値であるか否かの判定を行う。この場合、最初はＰ０の位置で得られた高周波成分の値ｆ０しかないため、ｆ０が最高値としてセットされる。
【００７７】
続いて、制御部３２は、フォーカスレンズ２２ａをＰ１の位置に移動させて（ステップＢ１５→Ｂ１６）、そこで得られる画像データの高周波成分の値ｆ１を検出する（ステップＢ１２）。そして、制御部３２は、この検出した高周波成分の値ｆ１と現在最高値としてセットされている高周波成分の値ｆ０とを比較することにより（ステップＢ１３）、ｆ１がｆ０よりも大きい場合にはｆ１を新たな最高値としてセットし直す（ステップＢ１４）。また、ｆ１がｆ０よりも小さい場合には、そのまま前回のｆ０を最高値として保持する。
【００７８】
このようにして、フォーカスレンズ２２ａを一方端（Ｐ０）から反対端（Ｐ６）まで一単位ずつ移動させながら、その位置で得られる高周波成分の値と現在最高値としてセットされている高周波成分とを比較して、前記所定の位置（例えば画面中央部）で得られる高周波成分の最高値を求める。この高周波成分の最高値をｆｍａｘとし、これを基準にして以下のように各指定エリアでの合焦評価値を算出する。
【００７９】
すなわち、制御部３２は、フォーカスレンズ２２ａを反対端（Ｐ６）から一方端（Ｐ０）に逆方向に一単位ずつ移動させながら、ユーザが指定した複数の合焦対象エリアに対する評価値を算出する。
【００８０】
今、ユーザが指定した複数の合焦対象エリアをＥ１〜Ｅ３とする。図８の例では、フォーカス枠５１〜５３が表示されているエリアがＥ１〜Ｅ３に相当する。制御部３２は、まず、フォーカスレンズ２２ａが反対端のＰ６にある状態で、合焦対象エリアＥ１〜Ｅ３で得られる画像データの高周波成分の値を検出する（ステップＢ１７）。
【００８１】
そして、制御部３２は、以下のような式（１）に従って合焦対象エリアＥ１〜Ｅ３の評価値をそれぞれ算出し（ステップＢ１８）、その算出した各評価値を図１１に示す評価テーブル５７に記憶する（ステップＢ１９）。なお、この評価テーブル５７は、例えばＲＡＭ３２ｃの所定の領域に設けられる。
【００８２】
評価値＝（ＳＥｎ／ｆｍａｘ）×１００（％）                  …（１）
ＳＥｎ  ：合焦対象エリアＥｎの高周波成分の値（ｎは１以上の整数）
ｆｍａｘ：所定位置の高周波成分の値
例えば、前記所定位置（画面中央部）における高周波成分の値ｆｍａｘ＝１００であるとした場合に、合焦対象エリアＥ１での高周波成分の値ＳＥ１＝８０であれば、評価値は８０として求められる。同様に、合焦対象エリアＥ２での高周波成分の値ＳＥ２＝６０、合焦対象エリアＥ３での高周波成分の値ＳＥ３＝５０であれば、これらのエリアの評価値は６０、５０として求められる。
【００８３】
以下同様にして、フォーカスレンズ２２ａを反対端（Ｐ６）から一方端（Ｐ０）まで反対方向に一単位ずつ移動させながら（ステップＢ２０→Ｂ２１）、その位置で得られる高周波成分の値ＳＥｎと最高値ｆｍａｘと基づいて各合焦対象エリアＥ１〜Ｅ３の評価値を求めて、その値を評価テーブル５７にセットしていく。
【００８４】
フォーカスレンズ２２ａがＰ０の位置に戻り、評価テーブル５７に各位置Ｐ０〜Ｐ６に対応した評価値が各合焦対象エリアＥ１〜Ｅ３毎に得られると、制御部３２は、この評価テーブル５７にセットされた各評価値に基づいて合焦判定処理を行い（ステップＢ２２）、その合焦判定処理によって決定された合焦位置にフォーカスレンズ２２ａを移動させる（ステップＢ２３）。
【００８５】
ここで、合焦判定の方法として２通りの方法を説明する。
【００８６】
（第１の方法）
図５は前記ステップＢ２２で実行される合焦判定処理であって、第１の方法による合焦判定処理を示すフローチャートである。
【００８７】
制御部３２は、まず、評価テーブル５７のＰ０の位置に対応した各合焦対象エリアＥ１〜Ｅ３の評価値を読み出し、これらの評価値を加算することにより、その合計値を求める（ステップＣ１１）。例えば図１１に示すように、Ｐ０の位置に対応した各合焦対象エリアＥ１〜Ｅ３の評価値が８０、６０、５０とすると、合計値は１９０として求まる。また、他の位置Ｐ１〜Ｐ６についても同様にして各合焦対象エリアＥ１〜Ｅ３の評価値を加算することにより、その合計値を求める。
【００８８】
このようにして、すべての位置Ｐ０〜Ｐ６について各評価値の合計値が得られると（ステップＣ１２のＹｅｓ）、制御部３２は、これらの中から合計値が最も高いものを検出する（ステップＣ１３）。そして、この検出した合計値が所定値以上であれば（ステップＣ１４のＹｅｓ）、制御部３２は、各合焦対象エリアＥ１〜Ｅ３にピントがあったものと判断し、当該レンズ位置（合計値が最も高くなるレンズ位置）を合焦位置として決定する（ステップＣ１５）。
【００８９】
一方、前記検出した合計値が所定値より少なければ（ステップＣ１４のＮｏ）、制御部３２は、各合焦対象エリアＥ１〜Ｅ３にピントが合わなかったものと判断し、パンフォーカスに切り替える（ステップＣ１６）。パンフォーカスとは、「常焦点」あるいは「固定焦点」などとも呼ばれ、被写体の特定部分に焦点を合わせるのではなく、例えば２〜３ｍの場所に焦点を固定し、被写界深度を深くすることで近接距離から望遠距離までのすべての範囲にピントを合わせる状態を言う。
【００９０】
（第２の方法）
前記第１の方法では、すべての評価値を判定要素として用いたが、第２の方法では、所定値に満たない評価値は対象外として排除し、残りの評価値つまり所定値以上の各評価値から合焦位置を決定する。
【００９１】
図６は前記ステップＢ２２で実行される合焦判定処理であって、第２の方法による合焦判定処理を示すフローチャートである。
【００９２】
制御部３２は、まず、評価テーブル５７のＰ０の位置に対応した各合焦対象エリアＥ１〜Ｅ３の評価値の中で所定値以上のものだけを選出し（ステップＤ１１）、これらの評価値を加算することにより、その合計値を求める（ステップＤ１２）。例えば所定値＝５０とした場合には、図１１の例では、Ｐ０の位置に対応した各合焦対象エリアＥ１〜Ｅ３のうちのＥ３の評価値５０を対象外とし、Ｅ１とＥ２の評価値だけで合計値を求めることになる。また、他の位置Ｐ１〜Ｐ６についても同様であり、それぞれに所定値以上の評価値だけを対象にして合計値を求める。
【００９３】
以降の処理は図５と同様である。すなわち、すべての位置Ｐ０〜Ｐ６について、各評価値の合計値が得られると（ステップＤ１３のＹｅｓ）、制御部３２は、これらの中から合計値が最も高いものを検出する（ステップＤ１４）。そして、この検出した合計値が所定値以上であれば（ステップＤ１５のＹｅｓ）、制御部３２は、各合焦対象エリアＥ１〜Ｅ３にピントがあったものと判断し、当該レンズ位置（合計値が最も高くなるレンズ位置）を合焦位置として決定する（ステップＤ１６）。
【００９４】
一方、前記検出した合計値が所定値より少なければ（ステップＤ１５のＮｏ）、制御部３２は、各合焦対象エリアＥ１〜Ｅ３にピントが合わなかったものと判断し、パンフォーカスに切り替える（ステップＤ１７）。
【００９５】
このように、最初から所定値に満たない評価値は排除しておき、残りの評価値つまり所定値以上の各評価値から合焦位置を決定することで、合焦精度を高めて、より適切な合焦位置を求めることができる。
【００９６】
（合焦表示処理）
次に、前記ステップＡ１５にて実行される合焦表示処理について説明する。合焦表示処理とは、スルー画像の画面上でピントが合っている部分の画像や色を表示する処理のことを言う。
【００９７】
図７はその合焦表示処理の流れを示すフローチャートである。
【００９８】
上述した自動合焦処理によってユーザが指定した複数の合焦対象エリアＥ１〜Ｅ３に対してピントが調整されると、その合焦対象エリアＥ１〜Ｅ３に表示されていたフォーカス枠５１〜５３の表示形態が変更されてフォーカスロックしたことが示される（ステップＥ１１）。フォーカス枠５１〜５３の表示形態を変更するとは、例えば表示色や形状などを変更することである。なお、各合焦対象エリアＥ１〜Ｅ３にピントを合わせられず、パンフォーカスとなった場合には、ここでの合焦表示処理は行われない。
【００９９】
ここで、ユーザが例えばメニューキー１６の操作により合焦画像表示指示を行うと（ステップＥ１２のＹｅｓ）、制御部３２は、現在表示されているスルー画像５０からフォーカス枠５１〜５３内の各画像をピントが合っている部分の画像（合焦画像と呼ぶ）として抽出する（ステップＥ１３）。そして、制御部３２は、図９に示すようなウインドウ画面５４ａ〜５４ｃを画面上の所定の位置に開き、そこに前記抽出した合焦画像５５ａ〜５５ｃをそれぞれ表示する（ステップＥ１４）。この例では、被写体に向かって左側から「花」、「人物の顔」、「看板」の３カ所にピントが合っているので、これらの部分の画像が合焦画像５５ａ〜５５ｃとして表示されることになる。
【０１００】
なお、ウインドウ画面５４ａ〜５４ｃは、所定の操作に従って１画面ずつ順に開いても良いし、すべてを一度に開くようにしても良い。
【０１０１】
また、合焦画像５５ａ〜５５ｃの表示方法としては、その合焦画像５５ａ〜５５ｃの全体を表示しても良いし、中心を含む一部だけを表示することでも良い。また、その際に所定サイズに拡大して表示するようにしても良い。
【０１０２】
一方、ユーザが例えばメニューキー１６の操作により色表示指示を行うと（ステップＥ１５のＹｅｓ）、制御部３２は、現在表示されているスルー画像５０からフォーカス枠５１〜５３内の画像の中心部１ドットの色のデータをピントが合っている部分の色として抽出する（ステップＥ１６）。そして、制御部３２は、図９に示すようなウインドウ画面５４ａ〜５４ｃを画面上の所定の位置に開き、そこに前記検出した色データに基づいて色マーク５６ａ〜５６ｃを表示する（ステップＥ１７）。この例では、「花」、「人物の顔」、「看板」の３カ所にピントが合っているので、それぞれに対応した色マーク５６ａ〜５６ｃが表示されることになる。
【０１０３】
なお、この色マーク５６ａ〜５６ｃの形状やサイズは任意設定であり、例えば矩形や円形などの各種形状からユーザが任意に選ぶことができ、また、そのマークサイズで任意に変更可能であるとする。
【０１０４】
また、図９の例では、合焦画像５５ａ〜５５ｃと色マーク５６ａ〜５６ｃが同じウインドウ画面５４ａ〜５４ｃ内に表示されているが、これらを別々のウインドウ画面で表示するようにしても良い。
【０１０５】
このような合焦画像５５ａ〜５５ｃや色マーク５６ａ〜５６ｃは、例えばメニューキー１６の操作により表示解除を明示的に指示するか、あるいは、シャッタキー９から指を離してフォーカスロックを解除するまでの間、表示される。
【０１０６】
このように、第１の実施形態によれば、画面上の任意の複数の部分を合焦対象エリアとして指定することができ、これらの指定箇所にピントを合わせた静止画を誰でも簡単に得ることができる。
【０１０７】
また、所定の操作によりピントを合わせた部分の画像や色を表示することができる。これにより、ユーザは被写体のどこにピントを合わせているのかをより正確に把握して撮影を行うことができる。
【０１０８】
（第２の実施形態）
次に、本発明の第２の実施形態について説明する。
【０１０９】
前記第１の実施形態では、ユーザが画面上の任意の複数の部分を合焦対象エリアとして指定するものとしたが、第２の実施形態では、ユーザが任意の色を指定することにより、その指定した色の部分にピントを合わせることを特徴とする。
【０１１０】
なお、デジタルカメラ１としての外観構成や回路構成について前記第１の実施形態と同様であるため、ここでは処理的に違う点について説明する。
【０１１１】
図１２は本発明の第２の実施形態におけるデジタルカメラ１の撮影時の処理動作を示すフローチャートである。
【０１１２】
電源投入後、このデジタルカメラ１に設けられた撮影モードキー１０の操作により静止画の撮影モードを設定すると、被写体の画像がレンズ光学系２２およびＣＣＤ２３を通じて取り込まれ、所定のカラープロセス処理を経た後、スルー画像として表示部１９の画面上に表示される（ステップＦ１１）。
【０１１３】
ここで、例えばメニューキー１６の操作により色指定モードを指示すると（ステップＦ１２のＹｅｓ）、制御部３２（ＣＰＵ３２ａ）は、図１４に示すような色指定ウインドウ６１を表示する（ステップＦ１２）。
【０１１４】
この色指定ウインドウ６１には、多数の色サンプル６２ａ，６２ｂ，６２ｃ…が設けられている。ユーザは、これらの色サンプル６２ａ，６２ｂ，６２ｃ…の中からピントを合わせたい色に対応したサンプルを選択する。なお、色サンプルの選択方法としては、例えば表示部１９の画面上に透明のタッチパネルを搭載していれば、画面上に指やペンで所望の色サンプルが表示された箇所を直接タッチして選択する方法や、カーソールキーの操作により選択するなどの方法がある。
【０１１５】
また、色指定ウインドウ６１としては、図１４のような構成に限らず、例えば色データを構成するＲ，Ｇ，Ｂの数値を入力するような構成であっても良い。
【０１１６】
このような色指定ウインドウ６１の表示により、ピントを合わせたい色が指定されると、制御部３２は、その指定された色のデータをＲＡＭ３２ｃの所定の領域に記憶した後（ステップＦ１４）、現在スルー画像として表示されている画像データの中から前記色データを有する画像ブロックを検出する（ステップＦ１５）。
【０１１７】
詳しくは、例えば色データとしてＲＧＢデータを例にすると、Ｒ，Ｇ，Ｂの各色要素の数値が指定色の範囲内にあるドット（例えば指定色に対してＲ±１０，Ｇ±１０，Ｂ±１０の範囲内にあるドット）を所定数以上含んだ画像ブロックを検出する。
【０１１８】
前記画像ブロックとは、図１５に示すように、画像データの全領域を例えば８×８画素に分割した場合の１つの単位を言う。この画像ブロックの中に指定色の範囲内にあるドット（画素）が所定数以上あれば合焦対象エリアとする。図中の例では、斜線で示す部分が該当するドットの集まりを示しており、太線で囲んだ画像ブロックが合焦対象エリアとして検出される。
【０１１９】
このようにして、指定された色データを有する画像ブロックが検出されると、制御部３２は、この検出した画像ブロックを合焦対象エリアとして設定し、画面上の対応する部分にその旨の表示を行う（ステップＦ１６）。この場合、該当する画像ブロックが複数存在すれば、これらを合焦対象エリアとして設定し、その旨の表示を行う。具体的には、図１６に示すように、スルー画像７０として表示されている画像データの中で合焦対象エリアとして検出された部分、つまり、ユーザが指定した色を有する部分にフォーカス枠７１〜７３を表示する。
【０１２０】
このようなフォーカス枠７１〜７３の表示により、ユーザは色指定によってピントを合わせた部分を知ることができる。図１６の例では、例えば「肌色」の指定により、被写体に向かって左側から人物の「右手」、「顔」、「左手」の各部分にフォーカス枠７１〜７３がそれぞれ表示されており、これらの部分にピントを合わせたことが分かる。
【０１２１】
ところで、ユーザが指定した色の部分にピントを自動的に合わせる方法では、必ずしもユーザが意図している部分にピントが合うとは限らない。例えば、ある人物の顔部分にピントを合わせるべく、「肌色」を指定したとしても、別の人が近くにいると、その別の人の顔部分を含めてピントが調整されてしまうことになる。
【０１２２】
そこで、このような問題を回避するため、前記ステップＦ１６で合焦対象エリアを表示した後に、制御部３２は、ユーザの指示に従って合焦対象エリアを変更するための処理を実行する（ステップＦ１７）。
【０１２３】
図１３にその合焦対象変更処理のフローチャートを示す。
【０１２４】
すなわち、例えば画面上でユーザが合焦対象エリアから削除したい部分をタッチするなどの所定の操作により削除指示を行うと（ステップＧ１１のＹｅｓ）、制御部３２は、その指定された部分に対応した画像ブロックを検索することにより、その画像ブロックを合焦対象エリアから削除する（ステップＧ１２）。詳しくは、合焦対象エリアを管理する図示せぬ管理テーブルから当該画像ブロックを削除するといった処理を行う。これにより、その削除された画像ブロックに表示されていたフォーカス枠も消える。
【０１２５】
また、例えば画面上でユーザが合焦対象エリアとして追加したい部分をタッチするなどの所定の操作により追加指示を行うと（ステップＧ１３のＹｅｓ）、制御部３２は、その指定された部分に対応した画像ブロックを検索し、その画像ブロックを合焦対象エリアに追加する（ステップＧ１４）。詳しくは、合焦対象エリアを管理する図示せぬ管理テーブルから当該画像ブロックを追加するといった処理を行う。これにより、その追加された画像ブロックに対応した部分にフォーカス枠が追加表示される。
【０１２６】
以後の処理は前記第１の実施形態と同様である。
【０１２７】
すなわち、ユーザがシャッタキー９の半押し操作により合焦指示を行うと（ステップＦ１８のＹｅｓ）、制御部３２は、前記色指定によって設定された複数の合焦対象エリアに対するＡＦ処理（自動合焦処理）を実行し（ステップＦ１９）、続いて、ＡＦ処理によってピントを合わせた部分の画像や色を表示するための合焦表示処理を実行する（ステップＦ２０）。
【０１２８】
ここで、ユーザがシャッタキー９の押下操作により撮影指示を行うと（ステップＦ２１のＹｅｓ）、制御部３２は所定の撮影処理を実行することにより、現在表示されているスルー画像を静止画として取り込み、所定の方式で圧縮してメモリ３８に記録する（ステップＦ２２）。なお、撮影処理については、図２で詳しく説明してあるため、ここでは省略する。
【０１２９】
また、前記ステップＦ１９で実行されるＡＦ処理については、図４〜図６と同様である。すなわち、フォーカスレンズ２２ａを移動させながら各レンズ位置で得られる高周波成分（コントラスト）を検出することにより、各合焦対象エリアに対応した評価値を求め、その評価値に基づいて合焦位置を決定するといった処理を行う。
【０１３０】
また、前記ステップＦ２０で実行される合焦表示処理については、図７と同様である。すなわち、例えばメニューキー１６の操作により合焦画像表示指示があると、現在表示されているスルー画像７０の中からフォーカス枠７１〜７３内の各画像をピントが合っている部分の画像（合焦画像と呼ぶ）を抽出し、その抽出した各合焦画像をウインドウ表示する。
【０１３１】
具体的には、図１７に示すようなウインドウ画面７４ａ〜７４ｃを画面上の所定の位置に開き、そこに前記抽出した合焦画像７５ａ〜７５ｃをそれぞれ表示する。この例では、「肌色」の指定により、被写体に向かって左側から人物の「右手」、「顔」、「左手」の３カ所にピントが合っているので、これらの部分の画像が合焦画像７５ａ〜７５ｃとして表示されることになる。
【０１３２】
なお、ウインドウ画面７４ａ〜７４ｃは、所定の操作に従って１画面ずつ順に開いても良いし、すべてを一度に開くようにしても良い。
【０１３３】
また、合焦画像７５ａ〜７５ｃの表示方法としては、その合焦画像７５ａ〜７５ｃの全体を表示しても良いし、中心を含む一部だけを表示することでも良い。また、その際に所定サイズに拡大して表示するようにしても良い。
【０１３４】
一方、例えばメニューキー１６の操作により色表示指示があると、現在表示されているスルー画像７０からフォーカス枠７１〜７３内の各画像の中心部１ドットの色のデータをピントが合っている部分の色として検出し、これらの色をウインドウ表示する。
【０１３５】
具体的には、図１７に示すようなウインドウ画面７４ａ〜７４ｃを画面上の所定の位置に開き、そこに前記検出した色データに基づいて色マーク７６ａ〜７６ｃを表示する。この例では、「肌色」の指定によって人物の「右手」、「顔」、「左手」の３カ所にピントが合っているので、それぞれに対応した色マーク７６ａ〜７６ｃとしては「肌色」が表示されることになる。
【０１３６】
なお、この色マーク７６ａ〜７６ｃの形状やサイズは任意設定であり、例えば矩形や円形などの各種形状からユーザが任意に選ぶことができ、また、そのマークサイズで任意に変更可能であるとする。
【０１３７】
また、図１７の例では、合焦画像７５ａ〜７５ｃと色マーク７６ａ〜７６ｃが同じウインドウ画面７４ａ〜７４ｃ内に表示されているが、これらを別々のウインドウ画面で表示するようにしても良い。
【０１３８】
このような合焦画像７５ａ〜７５ｃや色マーク７６ａ〜７６ｃは、例えばメニューキー１６の操作により表示解除を明示的に指示するか、あるいは、シャッタキー９から指を離してフォーカスロックを解除するまでの間、表示される。
【０１３９】
このように、第２の実施形態によれば、色を指定することにより、その指定した色にピントを合わせることができる。この場合、指定した色を有する部分でも、ユーザの意図していない部分であれば、それを削除したり、あるいは、別の部分を追加することで、ユーザの望む部分に正確にピントを合わせて撮影を行うことができる。
【０１４０】
また、所定の操作によりピントを合わせた部分の画像や色を表示することで、ユーザは被写体のどこにピントを合わせているのかをより正確に把握して撮影を行うことができる。
【０１４１】
なお、前記実施形態では、デジタルカメラを例にして説明したが、本発明はこれに限らず、例えば静止画撮影可能なデジタルムービカメラや、カメラ付きの携帯電話機など、画面上にスルー画像を表示しながら静止画を撮影可能な機能を備えた電子機器であれば、その全てに適用可能である。
【０１４２】
その他、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１４３】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【０１４４】
【図１】本発明の第１の実施形態に係る撮像装置としてデジタルカメラを例にした場合の外観構成を示す図であり、図１（ａ）は主に前面の構成、同図（ｂ）は主に背面の構成を示す斜視図。
【図２】同実施形態におけるデジタルカメラの電子回路構成を示すブロック図。
【図３】同実施形態におけるデジタルカメラの撮影時の処理動作を示すフローチャート。
【図４】同実施形態におけるデジタルカメラの自動合焦処理全体の流れを示すフローチャート。
【図５】同実施形態におけるデジタルカメラの合焦判定処理であって、第１の方法による合焦判定処理を示すフローチャートである。
【図６】同実施形態におけるデジタルカメラの合焦判定処理であって、第２の方法による合焦判定処理を示すフローチャートである。
【図７】同実施形態におけるデジタルカメラの合焦表示処理の流れを示すフローチャート。
【図８】同実施形態におけるデジタルカメラのスルー画像表示画面の一例を示す図であり、複数の箇所を合焦対象エリアとして指定した場合の図。
【図９】同実施形態におけるデジタルカメラのピントを合わせた部分の画像と色を表示するためのウインドウ画面の一例を示す図。
【図１０】同実施形態におけるデジタルカメラに用いられるコントラスト検出方式を説明するための図。
【図１１】同実施形態におけるデジタルカメラに備えられる評価テーブルの構成を示す図。
【図１２】本発明の第２の実施形態におけるデジタルカメラの撮影時の処理動作を示すフローチャート。
【図１３】同実施形態におけるデジタルカメラの合焦対象変更処理を示すフローチャート。
【図１４】同実施形態におけるデジタルカメラの色指定時に表示される色指定ウインドウの一例を示す図。
【図１５】同実施形態におけるデジタルカメラの色指定された画像ブロックの検出方法を説明するための図。
【図１６】同実施形態におけるデジタルカメラのスルー画像表示画面の一例を示す図であり、色指定によりピントを合わせた場合の図。
【図１７】同実施形態におけるデジタルカメラのピントを合わせた部分の画像と色を表示するためのウインドウ画面の一例を示す図。
【符号の説明】
【０１４５】
１…デジタルカメラ、２…ボディ、３…撮影レンズ、４…セルフタイマランプ、５…光学ファインダ窓、６…ストロボ発光部、７…マイクロホン部、８…電源キー、９…シャッタキー、１０…撮影モードキー、１１…再生モードキー、１２…光学ファインダ、１３…スピーカ部、１４…マクロキー、１５…ストロボキー、１６…メニュー（ＭＥＮＵ）キー、１７…リングキー、１８…セット（ＳＥＴ）キー、１９…表示部、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…画像処理部、３８…メモリ、３９…音声処理部、４０…ＵＳＢインタフェース（Ｉ／Ｆ）、４２…移動検出部、５０…スルー画像、５１〜５３…フォーカス枠、５４ａ〜５４ｃ…ウインドウ画面、５５ａ〜５５ｃ…合焦画像、５６ａ〜５６ｃ…色マーク、５７…評価テーブル、６１…色指定ウインドウ、６２ａ，６２ｂ，６２ｃ…色サンプル、７１〜７３…フォーカス枠、７４ａ〜７４ｃ…ウインドウ画面、７５ａ〜７５ｃ…合焦画像、７６ａ〜７６ｃ…色マーク。
【図１】
2006094202.tif 000003
【図２】
2006094202.tif 000004
【図３】
2006094202.tif 000005
【図４】
2006094202.tif 000006
【図５】
2006094202.tif 000007
【図６】
2006094202.tif 000008
【図７】
2006094202.tif 000009
【図８】
2006094202.tif 000010
【図９】
2006094202.tif 000011
【図１０】
2006094202.tif 000012
【図１１】
2006094202.tif 000013
【図１２】
2006094202.tif 000014
【図１３】
2006094202.tif 000015
【図１４】
2006094202.tif 000016
【図１５】
2006094202.tif 000017
【図１６】
2006094202.tif 000018
【図１７】
2006094202.tif 000019